(57)【要約】【課題】      卑金属のリ−ル本体と貴金属の構成部品の間に錆や電食を効果的に防止する魚釣用リ−ルの構成部品を提供することである。【解決手段】  構成部品が貴金属板のＳＵＳの高強度材で形成され、この母材２７の表面に酸化クロムの表面処理層２８を形成することで、高強度と高い電食防止効果を維持しながら、寸法精度の高い部品を形成することが出来る。  又、構成部品が貴金属板の真鍮、亜鉛等の高強度材を母材２９としてその表面にクロムメッキやニッケルメッキ等の金属補強層３０を形成しその表面に酸化クロムの表面処理層２８が形成された材料が使用されると同様の効果が得られる。【選択図】        図６
2005312320.tif 000002
【特許請求の範囲】
【請求項１】
卑金属で形成されたリ−ル本体に回転自在に支持したハンドルの回転で巻取り駆動機構を駆動して、リ−ル本体に支持されたスプ−ルに釣糸を巻回保持する構成を備えた魚釣用リ−ルの構成部品であって、
前記構成部品はリ−ル本体に支持され、他の部品と摺接する構成部品であると共に、貴金属からなる部品、又は母材の表面に貴金属からなる金属補強層を設けた部品で形成し、前記貴金属からなる部品又は貴金属からなる金属補強層の表面に絶縁性を有する表面処理層を形成したことを特徴とする魚釣用リ−ルの構成部品。
【請求項２】
前記構成部品はＳＵＳであり、前記絶縁性を有する表面処理層は酸化クロム層であることを特徴とする請求項１記載の魚釣用リ−ルの構成部品。
【請求項３】
前記構成部品は、スプ−ルをリ−ル本体の両側板間に回転自在に支持する両軸受型リ−ルに用いられている、スプ−ルを釣糸巻取り状態と釣糸放出状態とに切換えるクラッチ機構を構成する部品であることを特徴とする請求項１乃至２のいずれか１つに記載の魚釣用リ−ルの構成部品。
【請求項４】
前記構成部品は、スピニングリ−ルにおける釣糸巻取り状態と釣糸放出状態とに切換えるベ−ル反転機構を構成する部品であることを特徴とする請求項１又は２記載の魚釣用リ−ルの構成部品。
【発明の詳細な説明】
【技術分野】
【０００１】
本発明は、錆や電食が発生し易い釣場で使用される魚釣用リ−ルの構成部品の改良に関する。
【背景技術】
【０００２】
従来魚釣用リ−ルは、リ−ル本体に支持されたスプ−ルに釣糸を巻回保持する巻取り駆動機構を備えており、前記巻取り駆動機構はリ−ル本体に支持されたハンドルにて駆動される構成である。
前記巻取り駆動機構は通常リ−ル本体内部に配置され、スピニングリ−ルにおいては、リ−ル本体に回転可能に支持されたロ−タを駆動する構成であり、両軸受型リ−ルにおいては、回転可能に支持されたスプ−ルを直接駆動する構成が一般的である。
前記の如く構成された魚釣用リ−ルは、リ−ル全体の重量を抑えつつ巻取り駆動機構を精度良く組み付ける為に、近年においてはリ−ル本体をＡｌ（アルミニウム）合金やＭｇ（マグネシウム）合金等の比重が軽くイオン化傾向の強い卑金属で形成して軽量かつ高剛性化を図ろうとしている。またリールは磯や船などの海のそばで用いられることが多く、上記のように卑金属にて本体を形成する場合、表面に絶縁皮膜を形成する処理を施して耐食性を向上させて使用することが必須の構成となっている。
また、リ−ル本体への傷付きを抑えるべくリ−ル本体に組み付けられる巻取り駆動機構、スピニングリ−ルにおけるベ−ル反転機構や両軸受型リ−ルにおけるクラッチ機構などの構成部品は、高い精度や耐久性を考慮して貴金属であるＳＵＳ（ステンレス鋼）やチタン合金等の高強度部材、または真鍮や亜鉛等の母材で形成された部品の表面にクロムメッキ等の貴金属からなる金属補強層を備えた材料を用いている。
【０００３】
しかし、前記の材料でリ−ル本体を形成すると、リ−ル本体に傷が付いてリ−ル本体の表面処理層が剥離すると、前記リ−ル本体と前記構成部品との間に材料毎の電位差が生じ、海水等の付着による電食を発生させてしまう。
また、前記ベ−ル反転機構やクラッチ機構は高い寸法精度を必要とするので、膜厚の厚いメッキ処理等は極力避ける必要がある。
前記の電食を抑える技術として、特許文献１には、駆動機構における歯車を快削性ステンレス合金で形成し、前記歯車にクロム酸化被膜を形成することで、歯車の耐食性を向上される技術が夫々開示されている。
【特許文献１】特開２００３−２３５４１３号公報
【０００４】
前記特許文献１は、リ−ルの構成部品における歯車単体の腐食は防止できるが、腐食防止処理を施した歯車とリ−ル本体との関係は全く言及されておらず、リ−ル本体への電食防止効果は少なく、他の構成部品に対する対策が何ら施されていない為、リ−ル本体と構成部品との電気的導通による電食を抑制する効果は全く示唆されていない。
【０００５】
特にリ−ルは腐食を誘発する海水などが掛かる厳しい環境で使用される上に、スピニングリ−ルにおけるベ−ル反転機構や両軸受型リ−ルにおけるクラッチ機構などのように、高い強度を必要としながらリ−ル本体と直接摺接する部材が多く、これらの部材は仕掛けの投擲毎に摺動するためリ−ル本体の表面処理層が剥離し易い。
そのため高強度を得易い貴金属製の材料を構成部材として用いた際に、前記の如く卑金属のリ−ル本体の表面処理層が剥離すると、構成部材とリール本体との間に高い電位差が生じ、リ−ル本体との電気的導通による電食の発生が生じる。
また前記電食は、電位の高い貴金属における、表面処理が施されずに外部に露出する表面積が広いほどその進行が早まる傾向にあり、両軸リールにおけるクラッチ機構のクラッチ板やスピニングリールのベール反転機構のように、部品点数が多く複雑な形状の構成部品は表面積が多くなり易く、一旦電気的導通が生じて電食が発生するとその進行が非常に速まるので、電食の発生を抑えるだけでなく電食発生後の電食の進行を抑える対策が望まれている。
【発明の開示】
【発明が解決しようとする課題】
【０００６】
解決しようとする問題点は、卑金属で構成されたリール本体と摺接する貴金属の構成部品に対して腐食防止処理が施された構成は皆無であり、前記構成部品の表面積の影響によって、リ−ル本体と構成部品との電気的導通による電食の進行の早まりを抑止できないことである。
【０００７】
本発明の目的は前記欠点に鑑み、卑金属のリ−ル本体と、前記リール本体に摺接する貴金属の構成部品との間に発生し易い錆や電食を効果的に防止する魚釣用リ−ルの構成部品を提供することである。
【課題を解決するための手段】
【０００８】
本発明の請求項１は、卑金属で形成されたリ−ル本体に回転自在に支持したハンドルの回転で巻取り駆動機構を駆動して、リ−ル本体に支持されたスプ−ルに釣糸を巻回保持する構成を備えた魚釣用リ−ルの構成部品であって、
前記構成部品はリ−ル本体に支持され、他の部品と摺接する構成部品であると共に、貴金属からなる部品、又は母材の表面に貴金属からなる金属補強層を設けた部品で形成し、前記貴金属からなる部品又は貴金属からなる金属補強層の表面に絶縁性を有する表面処理層を形成したことを要旨とするものである。
本発明の請求項２は、前記構成部品はＳＵＳであり、前記絶縁性を有する表面処理層は酸化クロム層であることを要旨とするものである。
本発明の請求項３は、前記構成部品は、スプ−ルをリ−ル本体の両側板間に回転自在に支持する両軸受型リ−ルに用いられている、スプ−ルを釣糸巻取り状態と釣糸放出状態とに切換えるクラッチ機構を構成する部品であることを要旨とするものである。
本発明の請求項４は、前記構成部品は、スピニングリ−ルにおける釣糸巻取り状態と釣糸放出状態とに切換えるベ−ル反転機構を構成する部品であることを要旨とするものである。
【発明の効果】
【０００９】
本発明の請求項１によれば、卑金属で形成されたリ−ル本体と摺接する構成部品を、貴金属からなる部品、又は表面に貴金属からなる金属補強層を設けた部品で形成した際に、前記貴金属からなる部品又は貴金属からなる金属補強層の表面に絶縁性を有する表面処理層を形成することで、リ−ル本体や他の部品と摺接することで表面処理層が部分的に剥離しても、他部の表面の表面処理層が電食の発生を大幅に減らすことができるので、表面積に比例する電食の発生を大幅に抑えることが可能となり、リ−ル本体の電食の発生を大幅に軽減すると共に、電食発生後の電食の進行を大幅に抑えることができる。
本発明の請求項２によれば、リ−ル本体や他の部品と摺接する構成部品を貴金属であるＳＵＳの高強度材で形成し、この母材の表面に酸化クロムの表面処理層を形成することで、高強度と高い電食防止効果を維持しながら、寸法精度の高い部品を形成することが出来る。
本発明の請求項３によれば、表面処理層が形成された構成部品であるクラッチ機構のクラッチ板等を、リ−ル本体と摺接する部材が多く含まれる魚釣用両軸受型リ−ルの構成部品に用いることで、摺接部分の表面処理層が剥離してもリ−ル本体との電食を大幅に減らすことが出来る。
また、電食が発生しても、その進行を大幅に抑える効果があるので、リ−ルの耐久性が向上する。
本発明の請求項４によれば、表面処理層が形成された構成部品の一対のベ−ル支持部材と反転レバ−と固定ビス軸等を、リ−ル本体やロ−タと摺接する部材が多く含まれる魚釣用スピニングリ−ルの構成部品に用いることで、摺接部分の表面処理層が剥離してもリ−ル本体やロ−タとの電食を大幅に減らすことが出来る。
また、電食が発生しても、その進行を大幅に抑える効果があるので、リ−ルの耐久性が向上する。
【発明を実施するための最良の形態】
【００１０】
魚釣用リ−ルの構成部品を貴金属であるＳＵＳの高強度材で形成し、この母材２７の表面に酸化クロムの表面処理層２８を形成することで、高強度と高い電食防止効果を維持しながら、寸法精度の高い部品を形成することが出来る。
又、前記構成部品を、真鍮、亜鉛等を母材２９として形成し、その表面にクロムメッキ等の貴金属からなる金属補強層３０を形成すると共に、その表面に酸化クロムの表面処理層２８が形成された材料を用いても同様の効果が得られる。
【実施例１】
【００１１】
以下、図示の実施例によって本発明を説明すると、図１から図８は本発明を魚釣用両軸受型リ−ルに実施した第１実施例で、図１は魚釣用両軸受型リ−ルの断面背面図、図２は魚釣用両軸受型リ−ルのハンドル側の拡大要部断面背面図、図３は魚釣用両軸受型リ−ルの要部背面図、図４は魚釣用両軸受型リ−ルのハンドル側側板の内部の拡大要部断面側面図、図５はクラッチ作動板の側面図、図６（ａ）は貴金属の構成部品母材表面に酸化クロムの表面処理層が形成された断面図で（ｂ）は貴金属の構成部品母材表面にメッキからなる金属補強層と酸化クロムの表面処理層が形成された断面図である。
【００１２】
構成部品に本発明が実施された魚釣用両軸受型リ−ルの構成は、リ−ル本体ＡがＡｌ合金やＭｇ合金等の比重の軽い卑金属で形成された側枠１と側板Ｂ、Ｃで構成されている。
側枠１の左右両側枠１ａ、１ｂが複数本の支柱１ｃとリ−ル脚の固定板１ｄで一体的に平行に保持されて左右両側枠１ａ、１ｂの外側には夫々側板Ｂ、Ｃが取り付けられている。
側板Ｂは軸受構造体２と外側カバ−１０とで構成され、側板Ｃは軸受構造体３と外側カバ−１０′とで構成されている。
両側枠１ａ、１ｂ間にはスプ−ル１１が回転可能に支持されている。
側板Ｂの軸受構造体２の内側に筒部２ａが形成され、筒部２ａ内には軸受１２が挿入されて軸受１２にスプ−ル軸４の小径部４ａが軸承されている。
【００１３】
スプ−ル軸４は軸受１２で軸承された左側の小径部４ａと、右側枠１ｂの筒部１ｅ内に設けられた軸受１３で軸承された太径部４ｂと、軸受１３で軸承された太径部４ｂから突出した小径部４ｃとで形成されている。
小径部４ａはスラスト軸受１４に当接されている。
スプ−ル軸４の太径部４ｂにはスプ−ル１１が嵌合固定されている。
右側枠１ｂ側の軸受１３が設けられた筒部１ｅの透孔と連通する透孔内に設けられた他の軸受１５でピニオン５の大径の軸筒５ａが、右側側板Ｃの軸受構造体３に固定された軸筒１６内に取り付けられた軸受１７でピニオン５の小径の軸筒５ｂが夫々回転自在にかつ軸方向に移動可能に軸承されている。
ピニオン５の中心孔５ｃに押圧軸杆１８が軸方向に移動可能に嵌合されている。
軸受１３から右側に突出したスプ−ル軸４の小径部４ｃにはクラッチ機構を構成するピンからなる係合突起１９が固定されると共に小径部４ｃはピニオン５の大径孔５ｄに挿入されて押圧軸杆１８の一側が当接されている。
ピニオン５の大径の軸筒５ａの一側端面にはクラッチ機構を構成する係合溝５ｅが軸芯に直交するように形成され、係合突起１９は係合溝５ｅに係脱自在に挿入されている。
【００１４】
右側側板Ｃの軸受構造体３に固定された軸筒１６の外側外周にはネジ部が形成されて押圧ツマミ２０が螺合され、押圧ツマミ２０内に小判形の回り止め凹部が形成されて押圧軸杆１８の他側の回り止め部が係合されると共に押圧軸杆１８の他側端は押圧ツマミ２０内のスラスト軸受２１に当接されている。
ピニオン５の大径の軸筒５ａの外周にピニオン歯５ｆと周溝５ｇが形成されている。
ピニオン歯５ｆにはハンドル軸６に摩擦結合された駆動歯車２２が噛合されている。
周溝５ｇにはクラッチ機構を構成する作動体２３が係合されている。
右側枠１ｂの外側には図４のように支柱２４が固定されて作動体２３と図示しない発条が嵌合され、作動体２３は発条でスプ−ル軸４の係合突起１９とピニオン５の係合溝５ｅが係合される方向に付勢されている。
【００１５】
ピニオン５の大径の軸筒５ａの外側の右側枠１ｂの孔縁にはクラッチ板２５が回動自在に嵌合されて作動体２３が当接され、クラッチ板２５に図３のクラッチ操作レバ−２６が連結されている。
クラッチ板２５には作動体２３が操作されるカム２５ａが設けられている。
クラッチ板２５は貴金属からなるＳＵＳやチタンなどの高強度材の表面に絶縁性を有する表面処理層を形成したり、真鍮、亜鉛等の高強度材の表面にクロムメッキ等の貴金属からなる金属補強層を形成しその表面に絶縁性を有する表面処理層が形成されている。
絶縁性を有する表面処理層として、酸化クロムや酸化チタン、樹脂の被膜を用いることが好ましい。
前記の樹脂被膜としては、フッ素・シリコン・エポキシ・アクリル・ウレタン等の樹脂材料を、ドライコーティング・電着塗装・吹き付け塗装・デッピング等の方法を用いて層成する事が可能である。
特に高強度部材としてＳＵＳを使用する時にはＳＵＳ素材にクロムが混入されているので金属補強層を設けなくとも、ＳＵＳ素材はそのままで、その表面に酸化クロムの表面処理層を形成することが出来る。
貴金属のクラッチ板２５は図１、図２、図４のようにＡｌ合金やＭｇ合金等の比重の軽い卑金属で形成された右側枠１ｂの外側に常時摺接されている。
クラッチ板２５は貴金属のＳＵＳの高強度材を図６（ａ）の如く母材２７としてその表面に酸化クロムの表面処理層２８が形成された材料が使用されている。
又は、クラッチ板２５は真鍮、亜鉛等の母材２９に、図６（ｂ）の如くその表面にクロムメッキ等の金属補強層３０を形成しその表面に酸化クロムの表面処理層２８が形成された材料が使用されている。
【００１６】
上記したクラッチ板２５の表面に形成される酸化クロムの表面処理層２８は、塩化物腐食環境に対する耐食性が優れると共に、絶縁性が高く異種金属と接触した場合に発生する電食を効果的に抑制できる性質を具備している。
例えば、クロムを含有するクロム系ステンレス鋼においては、それを所望の成形加工を施した後に、硫酸や硝酸を含むクロム酸に浸漬処理（クロム酸処理）を施すことで表面に形成することが可能であり、このように形成された酸化クロムの表面処理層２８は、ステンレス素地と一体化した状態となっていることから、剥離し難いという特徴がある。
あるいは、素材が上記したようなステンレス鋼でなくても、その素材の表面にクロムメッキ等を施して金属補強層を形成してクロム層を形成し、その後、同様なクロム酸処理を施すことによっても形成することが可能である。
上記した酸化クロムの表面処理層２８を形成するに際しては、そのクロム酸処理の前工程として、成形加工品を陽極にし、硫酸、りん酸、硝酸等を含有する水溶液を電解液として、所定の周波数の超音波を付与する等、電解エッチング工程を加えることが好ましい。
これは、成型加工を行なうと、その表面には、塑性変形組織や吸着組織等を有する欠陥層が形成されている場合が多く、これを電解エッチングによって取り除くことによって、表面のクロム成分をリッチにすることができ、結果的により絶縁効果の高い酸化クロムの表面処理層２８を形成することが可能になる。
【００１７】
ハンドル軸６は右側枠１ｂに設けられた軸受３１と軸受構造体３に取り付けられた軸受３２で軸承され、軸受３２の右外側のハンドル軸６には回り止め部６ａとネジ部６ｂが形成されて回り止め部６ａにハンドル３３が回り止め嵌合されてネジ部６ｂにはドラグ調整ノブ３４が螺合されている。
軸受３１は右側枠１ｂの凹部に挿入されて抜け止め板３５で抜け止めされている。
ハンドル軸６には軸受３１に嵌合される大径部６ｃと小径部６ｄと鍔部６ｅと小判形の回り止め部６ｆが形成された太径部６ｇとが形成されている。
回り止め部６ｆの外周には爪車３６と歯車３７と駆動歯車２２と押圧板３８と筒状ドラグ押圧部３９と発条板４０、４１と軸受３２が嵌合され、爪車３６と押圧板３８と筒状ドラグ押圧部３９はハンドル軸６に回り止め嵌合されている。
歯車３７は駆動歯車２２に係合されている。
【００１８】
駆動歯車２２と押圧板３８の間には摩擦制動部材Ｅが挾み込まれてドラグ制動機構が構成されている。
筒状ドラグ押圧部３９の外周には、外輪４３と保持器４４と保持器４４の複数個の収容孔に収容された棒状転がり部材４２と図示しない発条とで構成された転がり式一方向クラッチＦが配置されている。
転がり式一方向クラッチＦは軸受構造体３の外径が二段の筒部３ａの中に支持されている。
転がり式一方向クラッチＦによってスプ−ル１１に図示しない釣糸が巻回される方向にハンドル３３が回転可能で、ハンドル３３は逆方向に回転不能に構成されている。
【００１９】
魚釣用両軸受型リ−ルの動作は、スプ−ル軸４の係合突起１９とピニオン５の係合溝５ｅが係合されたクラッチ機構のクラッチＯＮ状態でスプ−ル１１に釣糸が巻回される方向にハンドル３３が回転されると、ハンドル軸６と駆動歯車２２とピニオン５とスプ−ル軸４を介してスプ−ル１１に釣糸が巻回される。
クラッチ操作レバ−２６が押し下げられると、リ−ル本体Ａの右側枠１ｂの外側に常時摺接されたクラッチ板２５が図４の反時計方向に回動されてカム２５ａで作動体２３が押し上げられることでピニオン５が図２の右方向にスライドし、ピニオン５の係合溝５ｅとスプール軸４の係合突起１９との係合状態が解除されてクラッチ機構がクラッチＯＦＦ状態となる。
クラッチＯＦＦ状態でハンドルを回転操作すると、公知のクラッチ復帰機構を介してクラッチ板２５が図４の時計方向に回動され、カム２５ａによる作動体２３の押し上げ状態が解除されるので、作動体２３をスプール側へ付勢する図示しない発条によってピニオン５の係合溝５ｅとスプール軸４の係合突起１９とが再度係合されてクラッチＯＮ状態に復帰する。
【００２０】
前記のように魚釣用リ−ルの構成部品が構成されると、Ａｌ合金やＭｇ合金等の卑金属で形成されたリ−ル本体Ａと組み合わせる構成部品（クラッチ板２５）を、貴金属からなる部品、又は母材の表面に貴金属からなる金属補強層を設けた部品で形成した際に、前記貴金属からなる部品又は貴金属からなる金属補強層３０の表面に絶縁性を有する表面処理層２８を形成することで、リ−ル本体Ａや他の部品と摺接することで表面処理層２８が部分的に剥離しても、他部の表面の表面処理層２８が電食の発生を大幅に減らすことができるので、表面積に比例する電食の発生を大幅に抑えることが可能となり、リ−ル本体Ａの電食の発生を大幅に軽減することができる。
【００２１】
構成部品のクラッチ板２５が貴金属の高強度材であるＳＵＳで形成され、この母材２７の表面に酸化クロムの表面処理層２８を形成することで、高強度と高い電食防止効果を維持しながら、寸法精度の高い部品を形成することが出来る。
又、構成部品であるクラッチ板２５が真鍮、亜鉛等を母材２９としてその表面にクロムメッキ等の貴金属からなる金属補強層３０を形成し、その表面に酸化クロムや樹脂等の絶縁性を有する表面処理層２８が形成された材料が使用されると同様の効果が得られる。
表面処理層２８が形成された構成部品のクラッチ機構のクラッチ板２５等を、リ−ル本体Ａと摺接する部材が多く含まれる魚釣用両軸受型リ−ルの構成部品に用いることで、摺接部分の表面処理層２８が剥離してもリ−ル本体Ａとの電食を大幅に減らすことが出来る。
また、電食が発生しても、その進行を大幅に抑える効果があるので、リ−ルの耐久性が向上する。
【実施例２】
【００２２】
図７から図１３は本発明を魚釣用スピニングリ−ルに実施した第２実施例で、図７は魚釣用スピニングリ−ルの側面図、図８はロ−タの一方の支持腕と一方の支持部材の釣糸巻取状態の平面図、図９はロ−タの一方の支持腕と一方の支持部材の釣糸放出状態の平面図、図１０はロ−タの一方の支持腕と一方の支持部材の釣糸巻取状態の断面側面図、図１１はロ−タの一方の支持腕と一方の支持部材の釣糸放出状態の断面側面図、図１２はロ−タの背面図、図１２はロ−タの釣糸巻取状態の要部拡大背面図、図１３はロ−タの釣糸放出状態の要部拡大背面図である。
【００２３】
第２実施例で、構成部品に本発明が実施された魚釣用スピニングリ−ルの構成は、リ−ル本体ＧがＡｌ合金やＭｇ合金等の比重の軽い卑金属で形成され、側面に蓋体が取り付けられて構成されている。
リ−ル本体Ｇの内部には図示しない回転軸筒が軸承されてリ−ル本体Ｇの前部に突出した回転軸筒にロ−タ７が取り付けられている。
図示しない回転軸筒の中心孔の中には図示しないスプ−ル軸が前後の往復動自在に嵌合され、ロ−タ７の前側に突出したスプ−ル軸にスプ−ル４５が取り付けられている。
図示しない回転軸筒の後端にはピニオンが形成されてハンドル３３に取り付けられた図示しないハンドル軸に嵌合された図示しない駆動歯車にピニオンが噛合されてハンドル３３の回転でロ−タ７が回転され、スプ−ル４５が前後往復動される。
【００２４】
ロ−タ７はＡｌ合金やＭｇ合金等の比重の軽い卑金属で大径の筒部７ａと筒部７ａの基部７ｂの外周から前方に向けて突出された一対の支持腕とで形成されている。
一方の支持腕７ｃに凹部７ｄと凹部７ｄ内に軸部７ｅが形成されている。
一方の支持腕７ｃの軸部７ｅと他方の支持腕の軸部には夫々一方のベ−ル支持部材８の透孔８ａと他方のベ−ル支持部材の透孔が嵌合されてビス４６で反転自在に取り付けられている。
一方のベ−ル支持部材８には釣糸案内ロ−ラ４７の取付部４８が取り付けられている。
取付部４８と一体のベ−ル４９が他方のベ−ル支持部材との間に取り付けられている。
一方のベ−ル支持部材８には偏芯位置に穴８ｂが形成されて反転機構の押動レバ−９の一端９ａが挿入されている。
押動レバ−９の中程は凹部７ｄに設けた軸部５０の孔に挿入され、押動レバ−９の他端９ｂは基部７ｂ側に突出されている。
軸部５０より前側の押動レバ−９の外側には発条５１が嵌合されている。
基部７ｂには反転レバ−５２が固定ビス軸５３で回動自在に支承され、リ−ル本体Ｇの前部に設けられた反転カム５４に衝接可能に臨まされている。
一対のベ−ル支持腕７ｃの外側はカバ−５５で覆われている。
他の構成は前記第１実施例と略同一である。
【００２５】
第２実施例では、一対のベ−ル支持部材と反転レバ−５２と固定ビス軸５３等が構成部品となり、一対のベ−ル支持部材と反転レバ−５２と固定ビス軸５３は貴金属材の高強度材であるＳＵＳの高強度材で形成され、前記図６（ａ）のように、母材２７の表面に酸化クロムの表面処理層２８を形成することで、高強度と高い電食防止効果を維持しながら、寸法精度の高い部品を形成することが出来る。
又は、一対のベ−ル支持部材と反転レバ−５２と固定ビス軸５３等は、前記図６（ｂ）のように、真鍮、亜鉛等の母材２９で形成されその表面にクロムメッキ等の貴金属からなる金属補強層３０を形成しその表面に酸化クロムや樹脂被膜などの絶縁性を有する表面処理層２８を形成することで、高強度と高い電食防止効果を維持しながら、寸法精度の高い部品を形成することが出来る。
【００２６】
第２実施例では、リ−ル本体Ｇとロ−タ７がＡｌ合金やＭｇ合金等の比重の軽い卑金属で形成され、一対のベ−ル支持部材と反転レバ−５２と固定ビス軸５３等が貴金属材で形成されてリ−ル本体Ｇの反転カム５４と反転レバ−５２が衝接され、ロ−タ７の一対の支持腕と一対のベ−ル支持部材が常時摺接状態にあるが、一対のベ−ル支持部材と反転レバ−５２等の貴金属材側に表面処理層２８を形成した材料を用いることで電食を防止することができる。
【００２７】
前記のように魚釣用リ−ルの構成部品が構成されると、構成部品である一対のベ−ル支持部材と反転レバ−５２と固定ビス軸５３等が貴金属の高強度材であるＳＵＳで形成され、この母材２７の表面に酸化クロムの表面処理層２８を形成することで、高強度と高い電食防止効果を維持しながら、寸法精度の高い部品を形成することが出来る。
又、構成部品の一対のベ−ル支持部材と反転レバ−５２と固定ビス軸５３等が真鍮、亜鉛等の母材２９で形成されその表面にクロムメッキやニッケルメッキ等の金属補強層３０を形成しその表面に酸化クロムや樹脂被膜等の絶縁性を有する表面処理層２８が形成された材料が使用されると上記と同様の効果が得られる。
表面処理層２８が形成された構成部品の一対のベ−ル支持部材と反転レバ−５２と固定ビス軸５３等を、リ−ル本体Ｇやロ−タ７と摺接する部材が多く含まれる魚釣用スピニングリ−ルの構成部品に用いることで、摺接部分の表面処理層２８が剥離してもリ−ル本体Ｇやロ−タ７との電食を大幅に減らすことが出来る。
また、電食が発生しても、その進行を大幅に抑える効果があるので、リ−ルの耐久性が向上する。
なお、絶縁性を有する表面処理層の例示として明細書中に数種類の実施例を示したが、前記の実施例に例示したものに限定されるものではなく、絶縁性を有する表面処理層であれば、その材質や製法が限定されるものではなく、様々な公知の手段を利用することで本発明の実現が可能となることは言うまでもない。
【産業上の利用可能性】
【００２８】
釣糸巻取り駆動機構、クラッチ機構、反転機構等のように、リール本体と摺接する構成部品を備えた魚釣用リ−ルであれば、スピニングリ−ル、両軸受型リ−ル、片軸受型リ−ルを問わず本件構成を用いることが可能である。
【図面の簡単な説明】
【００２９】
【図１】第１実施例で、魚釣用両軸受型リ−ルの断面背面図である。
【図２】同魚釣用両軸受型リ−ルのハンドル側の拡大要部断面背面図である。
【図３】同魚釣用両軸受型リ−ルの要部背面図である。
【図４】同魚釣用両軸受型リ−ルのハンドル側側板の内部の拡大要部断面側面図である。
【図５】同クラッチ作動板の側面図である。
【図６】（ａ）は貴金属の構成部品母材表面に酸化クロムや樹脂被膜等の絶縁性を有するの表面処理層が形成された断面図で（ｂ）は構成部品の母材表面に貴金属からなる金属補強層と酸化クロムや樹脂被膜等の絶縁性を有する表面処理層が形成された断面図である。
【図７】第２実施例で、魚釣用スピニングリ−ルの側面図である。
【図８】同ロ−タの一方の支持腕と一方の支持部材の釣糸巻取状態の平面図である。
【図９】同ロ−タの一方の支持腕と一方の支持部材の釣糸放出状態の平面図である。
【図１０】同ロ−タの一方の支持腕と一方の支持部材の釣糸巻取状態の断面側面図である。
【図１１】同ロ−タの一方の支持腕と一方の支持部材の釣糸放出状態の断面側面図である。
【図１２】同ロ−タの背面図である。
【図１３】同ロ−タの釣糸巻取状態の要部拡大背面図である。
【図１４】同ロ−タの釣糸放出状態の要部拡大背面図である。
【符号の説明】
【００３０】
Ａ、Ｇ  リ−ル本体
８、２５、５２  構成部品
１１、４５  スプ−ル
２８  表面処理層
３０  金属補強層
３３  ハンドル
【図１】
2005312320.tif 000003
【図２】
2005312320.tif 000004
【図３】
2005312320.tif 000005
【図４】
2005312320.tif 000006
【図５】
2005312320.tif 000007
【図６】
2005312320.tif 000008
【図７】
2005312320.tif 000009
【図８】
2005312320.tif 000010
【図９】
2005312320.tif 000011
【図１０】
2005312320.tif 000012
【図１１】
2005312320.tif 000013
【図１２】
2005312320.tif 000014
【図１３】
2005312320.tif 000015
【図１４】
2005312320.tif 000016